(57)【要約】【課題】地震等の緊急時、老人、子供、女性でも簡単に押し倒すことができる玄関扉を提供する。【解決手段】玄関扉（１）を、上下の枢支ピンを介して玄関口を構成する上枠と下枠に軸支するとともに、上部枢支ピン（６）の作動機構を第１の歯車（２）と、第２の歯車（３）と、第２の歯車（３）と枢支ピン（６）とを連結する連結杆（４）と、第１の歯車（２）の軸（７）と、軸（７）の先端に回動自在に設けたつまみ（９）とで構成し、同作動機構の作業部（１０）を、扉の室内側の側面に形成した凹部内に納め、作業部（１０）の縁辺に蓋（１１）を回動自在に取り付けることにより常時は作業部（１０）は蓋（１１）により閉じられている。【選択図】    図１
2004263475.tif 000002
【特許請求の範囲】
【請求項１】
玄関扉を、上下の枢支ピンを介して玄関口を構成する上枠と下枠に軸支するとともに、上部枢支ピン（６）の作動機構を、第１の歯車（２）と、第２の歯車（３）と、第２の歯車（３）と枢支ピン（６）とを連結する連結杆（４）と、第１の歯車２の軸（７）と、軸（７）の先端に回動自在に設けたつまみ（９）とで構成し、同作動機構の作業部（１０）を、扉の室内側の側面に形成した凹部内に納め、作業部（１０）の縁辺に蓋（１１）を回動自在に取り付けることにより常時は作業部（１０）は蓋（１１）により閉じられていることを特徴とした玄関扉。
【発明の詳細な説明】
【０００１】
【発明の属する技術分野】
この発明は、緊急時の脱出を可能とする玄関扉、詳しくは、家屋、特にコンクリート製のマンションなどの住宅用の玄関扉であって、地震や火事などで玄関扉が壊れても手で容易に押し倒して脱出することができる玄関扉に関する。独立した家屋ではたとえ玄関扉が地震等で開かなくなっても周囲に空間があり、裏窓や裏口から脱出が可能であるが、マンションなどでは出口は玄関だけで、しかも２階以上の上層階となればなるほど脱出は困難になる。その意味で本願発明の玄関扉はコンクリート製のマンション家屋に適したものということができる。
【０００２】
【従来の技術】
地震により家屋が倒壊したとき、倒壊しないまでも玄関周りが歪曲されたときに玄関扉が開かないために住人が家屋内に閉じ込められるという悲劇が起こっている。また、通常の使用において扉の縦かまちと外枠との間に指がある状態で扉を閉めた時、特に幼児の細い指が両者の隙間に挟まれて骨折などの事故が起こることがある。
【０００３】
こうした危険は従来の玄関扉が蝶番による開閉機構をとっていたからである。蝶番取り付けは永久的であり、地震で歪曲しても簡単に外せるものではない。また、指を挟むのは扉の取り付け部が蝶番連結を可能とするため９０度に角張っており、扉が閉っているときは隙間がないが、扉を開くと隙間ができるため室内にいる住人、特に幼児が指を隙間の入れた状態で扉が閉められるとそのまま挟まれて指の骨折につながる事故になる。
【０００４】
以上の観点から本願発明者は実用新案登録第３０７１００４号考案を完成した。この先の考案と特徴を図４に基づいて説明すると、地震により扉が半壊し内部から開かなくなった緊急時に、扉の上部枢支ピン１６を作動する作業部１８のねじ２５にドライバー１７を差込んでねじを回動させて枢支ピン１６を引っ込めて上枠から離脱するようにしていた。ドライバー１７は常時は扉の内側に設けたポケット１９に収納されている。
【０００５】
【発明が解決しようとする課題】
ところが、この場合、肝心のドライバー１７がポケット１９に確実に保持されているとは限らず緊急時に見当たらないという事態があり得る。また、地震が夜間に起れば停電が予想され、しかも住人はパニック状態にあるのが普通である。そういう精神状態で、しかも暗黒の中で手探りでポケット１９からドライバー１７を取り出し、ねじ２５を作動させることは非常に困難である。慌てているのでドライバー１７を手元から落とすこともある。一旦落とせば暗がりでパニック状態で、しかも家具が散乱した状態で小さなドライバー１７を探し出すことは殆んど不可能である。
【０００６】
先の考案の長所としては、ドライバー１７は柄が長くその分大きな力が掛けられるから枢支ピン１６の回動には便利である。そのためねじ２５と枢支ピン１６との連結機構は比較的気を使わずに製作できた。したがって、たとえば、ラックとピニオンを使った慣用技術で対処できた。
【０００７】
以上述べた、問題点と利点を考量すると問題点の方が利点を上回る。しかもかかる装置の問題点は単なる趣味趣向の問題ではない。滅多に起こらないが一旦起これば人命にかかわる。また、起こってからでは遅い。ここに改良の必要が起こってきた。改良のポイントは、枢支ピン１６の作動具を扱い易く簡便化できるような枢支ピン１６の回動機構を改良することにある。
【０００８】
【課題を解決するための手段】
上記目的を達成するために本発明では、玄関扉を、上下の枢支ピンを介して玄関口を構成する上枠と下枠に軸支するとともに、上部枢支ピンの作動機構を、第１と第２の相互に噛み合った一対の歯車と、第２の歯車を上部枢支ピンに連結する連結杆とで構成し、第１の歯車の作業部を扉の室内側の側面に形成した凹部内に納めたことを特徴としている。
【０００９】
【発明の作用】
玄関扉を従来の蝶番を使わず上下動可能の扉枢支ピンとしたから万一地震または火事などで扉が開かなくなったときでも扉の室内側に設けた簡便な作業部の操作で簡単に扉の上部枢支ピンを引込めることができ、これにより扉は簡単に室外に押し倒すことができる。また、作業部は扉の室内側の側面から突出することはないので日常生活の上で支障になることはない。
【００１０】
さらに、蝶番ではなく軸による扉の取り付けであるため、図４中符号２１で示すように扉の角を円弧状（いわゆるアール状）とすることができるため、住人特に幼児が室内側で指を詰めて怪我をする心配・危険はなくなった。
【００１１】
【発明の実施の形態】
玄関扉１は上方に突出した進退自在の枢支ピン６を上枠に形成した枢支ピン穴５に挿入されて支えられている。進退自在といっても平時は突出状態に維持されて扉の軸支機能を果たしている。地震などの緊急事態の発生がなければその状態が永久に続くことになる。万が一つの緊急事態が起こり枢支ピン６が枢支ピン穴５より離脱したときは扉は手で外されることになる。図１、２において扉１の室内から見て左隅近辺に扉の枢支ピン６の作業部１０が形成される。作業部１０は扉裏面（室内側）から突出しないように図１に示すように凹部として形成されている。作業部１０には蓋１１が図示実施例では作業部１０の開口部の下縁に蝶番付けされ図１の矢印方向に開閉する（図１では開いた状態を示す）。
【００１２】
作業部１０内には第１の歯車２の軸と一体のねじ７の頭部が室内方向に突出しており、つまみ９が枢軸８により回動自在に取り付けられている。つまみ９は図１において通常は作業部１０内に収まっており、非常時につまみ９を手前に立ててそのまま図２中矢印方向に回せばねじ７を介して第１の歯車２は図中時計周りに回転され、それにつれて第２歯車３は反時計周りに回転するから連結杆４は下方に押し下げられる。
【００１３】
歯車２、３の作動がこの発明の生命線である。僅かな力でその歯車群を作動できるよう日頃の手当てが大切である。しかし、いつくるか分からない天災に備えてそうした機構の保全を手掛けることは事実上不可能であり、またそのようなことを素人の住人に期待していては発明としての値打ちがない。無保守でも万一の場合に機能することが望まれる。そのため、本発明では、歯車機構の錆び止め対策として気密性を保ち、また潤滑油の注油口を適宜場所に設けるなどの配慮をしているが、その手法は慣用技術の範囲であるので詳細は省略する。
【発明の効果】
連結杆４が下方に押し下げられると扉枢支ピン６はそれにつれて押し下げられ扉は上枠から離脱されるので手で外方に押し倒すことができる。これにより住人が家屋内に閉じ込められる危険はなくなる。
【００１４】
枢支ピン６近辺の扉１の角は円弧状であるので（図４符合２１参照）家屋の内外を問わず縦かまちと縦わくとの間に指が挟み込まれる事故は防止できる。
【図面の簡単な説明】
【図１】本発明の玄関扉の要部（作業部）の概略を示す断面図である。
【図２】図１の２−２線断面図である。
【図３】本発明の玄関扉を実際に取り付けた態様を示す斜視図である。
【図４】従来の玄関扉の作業部の態様を示す斜視図である。
【符号の説明】
１    玄関扉
２    第１の歯車
３    第２の歯車
４    連結杆
５    枢支ピン穴
６    枢支ピン
７    ねじ
８    つまみの枢軸
９    つまみ
１０    作業部
１１    回動自在の蓋
【図１】
2004263475.tif 000003
【図２】
2004263475.tif 000004
【図３】
2004263475.tif 000005
【図４】
2004263475.tif 000006